(57)【要約】【課題】  手めくりのようなページ切換えが可能な電子表示装置を提供する。【解決手段】  この電子表示装置１０は、コンテンツを表示する表示部１２と、コンテンツのページ切換えの操作を行う操作部１５と、操作部１５の操作に基づいて、表示されたコンテンツの現ページから次ページへのページ切換えを制御する制御部１６とを備え、制御部１６は、ページ切換えにおける表示部１２の表示を更新するために、現ページの表示位置を徐々に表示部１２の表示領域外へ移動させ、次ページの表示位置を徐々に表示部１２の表示領域内に移動させることにより合成画像を順次生成する。現ページ及び次ページの移動速度を、ページ切換えの後半で、少なくとも２段階の減速の加速度で変化するように設定することで、次ページへの移行を滑らかにして、余韻を出すことができる。【選択図】  図７
2007041724.tif 000002
【特許請求の範囲】
【請求項１】
コンテンツを表示する表示部と、
前記表示部に表示されたコンテンツのページ切換えの操作を行う操作部と、
前記操作部の操作に基づいて、前記表示部に表示されたコンテンツの第１のページから第２のページへのページ切換えを制御する制御部と、を備えた電子表示装置であって、
前記制御部は、前記ページ切換えにおける前記表示部の表示を更新するために、前記第１のページの表示位置を徐々に前記表示部の表示領域外へ移動させ、前記第２のページの表示位置を徐々に前記表示部の表示領域内に移動させると共に、
前記第１のページ及び前記第２のページの移動速度を、前記ページ切換えの後半で、少なくとも２段階の減速度で変化するように設定した電子表示装置。
【請求項２】
請求項１に記載の電子表示装置であって、
前記操作部の操作に応じて、前記制御部が、前記第１のページおよび前記第２のページの移動速度の変化及びページ切換えの開始からページ切換えの終了までの工程時間を制御する電子表示装置。
【請求項３】
請求項１または２に記載の電子表示装置であって、
前記操作部はタッチセンサにより構成され、前記タッチセンサをなぞる指の動きに応じて、前記制御部が、前記第１のページおよび前記第２のページの移動速度の変化及びページ切換えの開始からページ切換えの終了までの工程時間を制御する電子表示装置。
【請求項４】
請求項１ないし３のいずれか１項に記載の電子表示装置であって、
前記２段階の減速度が、ページ切換えの最終局面で設定され、最終局面に近い段階の減速度が、最終局面から遠い段階の減速度より小さくなるように設定された電子表示装置。
【請求項５】
請求項１ないし４のいずれか１項に記載の電子表示装置であって、
前記制御部は、前記第１のページ及び前記第２のページの移動速度が、前記ページ切換えの前半で、加速した後に減速するように設定する電子表示装置。
【請求項６】
請求項５に記載の電子表示装置であって、
前記制御部は、前記第１のページ及び前記第２のページの移動速度が、前記ページ切換えの前半での前記減速の後、前記ページ切換えの後半での減速に到るまで等速を維持するように設定する電子表示装置。
【請求項７】
電子表示装置における表示部に表示されたコンテンツの第１のページから第２のページへのページ切換えを制御するページ切換え制御方法であって、
前記第１のページの表示位置を徐々に前記表示部の表示領域外へ移動させ、前記第２のページの表示位置を徐々に前記表示部の表示領域内に移動させると共に、
前記第１のページ及び前記第２のページの移動速度を、前記ページ切換えの後半で、少なくとも２段階の減速度で変化するように設定する、電子表示装置のページ切換え制御方法。
【請求項８】
電子表示装置における表示部に表示されたコンテンツの第１のページから第２のページへのページ切換えをコンピュータに実行させるプログラムであって、該プログラムは、
前記第１のページの表示位置を徐々に前記表示部の表示領域外へ移動させ、前記第２のページの表示位置を徐々に前記表示部の表示領域内に移動させる手順と、
前記第１のページ及び前記第２のページの移動速度を、前記ページ切換えの後半で、少なくとも２段階の減速度で変化するように設定する手順と、
をコンピュータに実行させるプログラム。
【発明の詳細な説明】
【技術分野】
【０００１】
本発明は、電子書籍等を読むための電子表示装置に関し、特に、表示画面上のページを切換えるときに、実際の書籍に近い“ページ切換え”を実現するものである。
【背景技術】
【０００２】
近年、電子書籍等を閲覧するための携帯可能な電子表示装置が市販されている。この装置は、薄箱状の筐体に、ＬＣＤや電子ペーパーから成る表示部と、キーボードやボタン等の操作部とを有しており、ユーザは、その筐体を片手または両手で保持し、操作部を操作して、表示部に表示する電子書籍を選択し、あるいは、そのページの切換えを行う。
【０００３】
また、非特許文献１及び非特許文献２は、種々の電子表示装置に適用可能な書籍閲覧用ソフトを開示している。このソフトは、表示装置の画面上に、本に近い感覚でオリジナルの雰囲気を損なわずに書籍を表示することを目的としている。
図１２は、非特許文献１及び非特許文献２に開示された画像のページ切換え表示の例を示す。図１２（ａ）は、ページ切換えの際の画像の変化を示すものであり、現ページの画像上に次ページの画像がスライドし、重ねられる操作が行なわれる（「Wipe-In」ともいう）。また、図１２（ｂ）は、ページ切換えの際の画像の変化の他の例を示すものであり、現ページの画像上に次ページの画像が拡大し、重ねられる操作が行なわれる（「Zoom-Out」ともいう）。
【非特許文献１】「青空文庫を快適に読む  ａｚｕｒアジュール」、平成１７年７月２５日検索、インターネット<URL:http://www.voyager.co.jp/azur/index.html>
【非特許文献２】「Ｔ−Ｔｉｍｅ５．５は今そこにある液晶デバイスを本にします」、平成１７年７月２５日検索、インターネット<URL:http://www.voyager.co.jp/T-Time/index.html>
【発明の開示】
【発明が解決しようとする課題】
【０００４】
しかし、上述したような従来の電子表示装置のページ切換えは、単にページの切換えに際する表現の工夫を提示したのみであり、片手で本をめくるときの感覚や、それに準じたページの切換え、ページのめくり感を提供するものではない。従って、ユーザに機械的なページ切換えの印象を与えてしまい、読書に際してのページめくりの感覚を提供することはできない。このような操作感覚は、結果的に電子表示装置の魅力を損なうこととなってしまっている。
【０００５】
本発明は、こうした問題を踏まえて創案したものであり、あたかも手めくりをしているようなページ切換え（ページめくり）が可能な電子表示装置を提供することを目的としている。
【課題を解決するための手段】
【０００６】
本発明の電子表示装置は、コンテンツを表示する表示部と、表示部に表示されたコンテンツのページ切換えの操作を行う操作部と、操作部の操作に基づいて、表示部に表示されたコンテンツの第１のページから第２のページへのページ切換えを制御する制御部とを備え、制御部は、ページ切換えにおける表示部の表示を更新するために、第１のページの表示位置を徐々に前記表示部の表示領域外へ移動させ、第２のページの表示位置を徐々に前記表示部の表示領域内に移動させると共に、前記第１のページ及び前記第２のページの移動速度を、前記ページ切換えの後半で、少なくとも２段階の減速度で変化するように設定する。
【０００７】
この制御部の制御により、ページ切換えでの次ページへの移行が円滑になり、あたかも、実際の本を手めくりした時のページの動作をイメージすることができ、次ページへの切換えに余韻を持たせ、片手で本をめくるときの感覚を得ることができる。
【０００８】
また、本発明の電子表示装置の制御部は、合成画像に占める次ページの表示領域の増え方が、ページめくりの後半で多段階に減速し前記操作部の操作に応じて、前記第１のページおよび前記第２のページの移動速度の変化及びページ切換えの開始からページ切換えの終了までの工程時間を制御する。
【０００９】
このような構成により、ユーザは種々のモードによりページ切換えを行うことが可能となる。
【００１０】
また、前記操作部がタッチセンサにより構成され、前記タッチセンサをなぞる指の動きに応じて、前記制御部が、前記第１のページおよび前記第２のページの移動速度の変化及びページ切換えの開始からページ切換えの終了までの工程時間を制御するようにしてもよい。
【００１１】
このような構成により、ユーザは簡易な操作にて移動速度を変化させることが可能となる。
【００１２】
また、前記２段階の減速の加速度が、ページ切換えの最終局面で設定され、最終局面に近い段階の減速度が、最終局面から遠い段階の減速度より小さくなるように設定されてもよい。
【００１３】
この制御部の制御により、次ページへの移行が、より一層円滑になる。
【００１４】
また、本発明の電子表示装置の制御部は、第１のページ及び第２のページの移動速度が、ページ切換えの前半で、加速した後に減速するように設定する。
【００１５】
こうすることで、ページめくりの際の加速感が強調される。
【００１６】
また、本発明の電子表示装置の制御部は、第１のページ及び第２のページの移動速度が、ページ切換えの前半での減速の後、ページ切換えの後半での減速に到るまで等速を維持するように設定する。
【００１７】
このように、ページめくりの途中で、次ページの表示領域を等速で増加させることにより、スムーズ感を出すことができる。
【００１８】
また、本発明は、電子表示装置における表示部に表示されたコンテンツの第１のページから第２のページへのページ切換えを制御するページ切換え制御方法であって、当該方法は、第１のページの表示位置を徐々に前記表示部の表示領域外へ移動させ、第２のページの表示位置を徐々に前記表示部の表示領域内に移動させ、前記第１のページ及び前記第２のページの移動速度を、前記ページ切換えの後半で、少なくとも２段階の減速度で変化するように設定する。
また、このような方法をコンピュータに実行させるプログラムも本発明に含まれる。
【発明の効果】
【００１９】
本発明の電子表示装置は、機械的なページ切換えでは無く、あたかも手めくりが行われているように感じるページ切換え、ページめくりを表示することができる。
【発明を実施するための最良の形態】
【００２０】
図１は、本発明の実施形態における電子表示装置１０の外観を示す斜視図である。この電子表示装置１０の筐体は、薄箱状の矩形部１１と、その矩形の片側に連なる略円柱状の把持部１３とを有し、矩形部１１には表示部１２が配置され、把持部１３には略Ｅ字形の操作部１４が配置されている。また、把持部１３の内部には、この装置の電源となる電池が収納されている。
【００２１】
ユーザは、図２に示すように、この電子表示装置１０の把持部１３を右手４１または左手４２で掴み、掴んだ手の親指で操作部１４のＥ字上をなぞって、表示部１２に表示する  書籍等のコンテンツを選択し、また、そのページを切換える。
【００２２】
Ｅ字形操作部１４には、図３に示すように、Ｅ字に沿って複数のタッチセンサ１５ａ〜１５ｈが配置されており、指が触れるタッチセンサの順番やその時間間隔に基づいて、予め決められた表示動作が行われる。
【００２３】
例えば、この電子表示装置１０を右手で持つ場合は、表示部１２にコンテンツ選択用のメニューが表示されているときに、図４（ａ）に示すように、タッチセンサを１５ｂ→１５ｃ→１５ｅの順に指でなぞると、多数のコンテンツの表題を含むメニュー上でコンテンツの選択位置が下方向に移動し、逆に、１５ｅ→１５ｃ→１５ｂの順になぞると、その選択位置が上方向に移動する。
【００２４】
また、図４（ｂ）に示すように、タッチセンサを１５ｅ→１５ｄの順に指でなぞると、メニュー上で選択されたコンテンツの１ページ目が表示部１２に表示される。
【００２５】
また、図４（ｃ）に示すように、タッチセンサを１５ａ→１５ｂの順に指でなぞると、表示されたコンテンツの順方向へのページ切換えが行われ、１５ｂ→１５ａの順になぞると、逆方向へのページ切換えが行われる。このとき、なぞる速さが予め決められた値ｓ２より大きければ高速でページがめくられ、なぞる速さがｓ１〜ｓ２の間であれば中速でページがめくられ、また、ｓ１未満であれば低速でページがめくられる（このように指でなぞる操作に応じて、１ページずつページがめくられる状態を“通常モード”と呼ぶことにする）。また、タッチセンサを指でなぞった後、指をタッチセンサから離さずに触り続けると、ページ切換えを連続的に行う“中速モード”に移行し、さらに、予め決められた時間以上触り続けると、ページを所定枚数（例えば１０ページ毎に）飛ばして切換える“高速モード”へと移行する。このように、操作部１４に対する操作に応じて、制御部１６は、ページの移動速度の変化及びページ切換えの開始からページ切換えの終了までの工程時間を制御する。
【００２６】
また、図４（ｄ）に示すように、タッチセンサを１５ｈ→１５ｇの順に指でなぞると、電子表示装置１０の操作部１４は、左手持ちに対応した動作に切換わる。
【００２７】
図５は、電子表示装置１０を左手で持つ場合の操作を示している。これは右手持ちの場合と対象的であり、コンテンツの選択は、タッチセンサを１５ｈ→１５ｆ→１５ｅ、または、その逆の順になぞることで行われ（図５（ａ））、選択したコンテンツの表示開始は、タッチセンサを１５ｅ→１５ｄの順になぞることで行われ（図５（ｂ））、ページ切換えは、タッチセンサを１５ｈ→１５ｇ、または、その逆の順になぞることで行われ（図５（ｃ））、さらに、右手持ちへの切換えは、タッチセンサを１５ｂ→１５aの順になぞって行われる。尚、重力センサや加速センサを別途設け、タッチセンサに触れなくとも電子表示装置１０が上下に反転されたとき、自動的に表示部１２の表示を反転させる構成を採用してもよい。
【００２８】
図６は、この電子表示装置１０の構成を示すブロック図である。この装置１０は、表示部１２と、操作部として機能するタッチセンサ１５と、コンテンツを記憶する記憶部１７と、表示用画像を一時記憶する一時記憶部１８と、表示を制御する制御部１６とを有している。
【００２９】
記憶部１７は、この装置に装着されるメモリカード等の記憶媒体であり、閲覧用の多数のコンテンツが、そのメニュー情報とともに格納されている。記憶媒体は一般的には取り外し可能で著作権保護機能が設けられており、他の記録媒体にそのコンテンツをコピーすることはできないような構成になっているが、特にその種類は限定されない。
【００３０】
一時記憶部１８は、揮発性メモリーから成り、ここには、閲覧するコンテンツの表示部１２に表示されるページとその前後のページとが記憶部１７から読み出されて一時的に記憶される。
【００３１】
制御部１６は、制御動作が、タッチセンサ１５の入力情報に対応付けて規定されたプログラムを保持しており、タッチセンサ１５から情報が入力すると、その情報の有効性を識別し、有効である場合に、そのプログラムに従って表示部１２の表示を制御する。
【００３２】
次に、この電子表示装置１０におけるページ切換えの表示動作について説明する。
【００３３】
この装置１０の電源が投入されると、制御部１６は、記憶部１７からメニュー情報を読み出して表示部１２に表示し、このメニュー画面に含まれる多数の表題の中の先頭の表題を反転表示して、初期設定された右手持ち用の表示制御を開始する。なお、図４（ｄ）に示すように、タッチセンサ１５の１５ｈに続いて１５ｇから入力が有った場合は、その間の時間を時計（不図示）で計測し、計測時間が予め設定された閾値より短いとき、この入力情報を有効と識別して、左手持ち用の表示制御に切換える。
【００３４】
制御部１６は、図４（ａ）に示すように、タッチセンサ１５の１５ｂ、１５ｃ、１５ｅから、この順で入力が有った場合に、その間の時間を計測し、計測時間が予め設定された閾値より短いとき、この入力情報を有効と識別して、メニュー画面上で反転表示する表題の位置を下方向に移動する。同様に、１５ｅ、１５ｃ、１５ｂの順に入力が有った場合は、その情報を有効と識別したとき、メニュー画面上で反転表示する表題の位置を上方向に移動する。
【００３５】
また、図４（ｂ）に示すように、タッチセンサ１５の１５ｅに続いて１５ｄから入力が有ると、制御部１６は、その間の計測時間が予め設定された閾値より短いとき、この入力情報を有効と識別して、メニュー画面上で反転表示している表題のコンテンツの１ページ目及び２ページ目を記憶部１７から読み出し、それらを一時記憶部１８に格納するとともに、その１ページ目を表示部１２に表示する。
【００３６】
また、図４（ｃ）に示すように、タッチセンサ１５の１５ａに続いて１５ｂから入力があると、制御部１６は、その間の計測時間を予め設定された時間ｈ０、ｈ１、ｈ２（ｈ０＞ｈ１＞ｈ２）と比較する。そして、計測時間がｈ０より長い場合は、入力情報を無効とし、ｈ０≧計測時間＞ｈ１の場合は、低速の通常モードによるページ切換えを実行し、ｈ１≧計測時間＞ｈ２の場合は、中速の通常モードによるページ切換えを実行し、また、ｈ２≧計測時間の場合は、高速の通常モードによるページ切換えを実行する。
【００３７】
通常モードによるページ切換えは、一時記憶部１８に格納された１ページ目及び２ページ目の画像データを用いて、後述する図１１のように、２ページ目の表示位置が徐々に変化する画像を合成し、その合成画像を用いて表示部１２の表示を順次更新する。このとき、低速の通常モードでは、合成画像に占める２ページ目の表示領域の時間的な増加を、図７に示すように設定する。本発明では、２ページ目の表示領域の増加とは、１ページ目（現ページ、第１のページ）が表示部１２の表示領域外へ移動しつつ、２ページ目（次ページ、第２のページ）が表示部１２の表示領域内に移動することをいう。
【００３８】
この図７は、図１３と同様に、合成画像に占める２ページ目の表示領域が時間的に増加する様子を示しており、横軸のｔｎは、合成画像の更新時刻をページ切換え開始時（０）からの経過時間で表し、縦軸は、ｔｎ時刻の合成画像に占める２ページ目の表示領域の割合（％）とｔ（ｎ−１）時刻の合成画像に占める２ページ目の表示領域の割合（％）との差分を表している。
【００３９】
図７の設定に従うことにより、２ページ目の表示領域は、ｔ２時点まで急激に加速して増加し（ｔ１：８．３％、ｔ２：２２．１％）、ｔ２時点の合成画像に占める２ページ目の表示領域が、３０．４％に達する。２ページ目の表示領域の増え方は、この急激な加速の後に減速し、ｔ３からｔ７までは、合成画像の更新ごとに１２．４％ずつ増え、ｔ７時点の合成画像に占める２ページ目の表示領域は、累積で９２．４％に達する。その後、２ページ目の表示領域の増え方は減ってくるが、その減速の加速度は一定ではなく、ｔ８時点での増加が５．５％、ｔ９時点では１．４％、ｔ１０時点では０．６％と、ｔ１１時点に近付くほど、減速の加速度は低下し、ｔ１１時点において２ページ目の表示領域は累積で１００％に達する。ｔ１１は、ページ切換え開始時（０）からの経過時間が１１００ｍｓの時点である。また、「減速の加速度」とは、「減速度」と同意であり、「減速度」とは図７のグラフなどの傾きに対応し、特に右下がりになっている部分の傾きに対応する。従って、「２段階の減速度」という場合、少なくとも２段階のグラフの傾きで速度が減少する。
【００４０】
このように、２ページ目の表示領域の増え方を所定レベルまで高める場合に、等加速でそれを実現するよりも、図７の０からｔ３に掛けての期間のように、所定レベル以上に加速した後、所定レベルまで減速した方が、加速感が強調され、手めくりの感じが出る。
【００４１】
また、ページ切換えの後半で２ページ目の表示領域の増え方を減速する場合に、一定の加速度で減速するのではなく、図７のｔ７からｔ１１に掛けての期間のように、ページ切換えの最終局面に近付く程、減速の加速度を落とすことで、２ページ目への切換えに余韻を持たせることができ、機械的なページ切換えの印象を解消することができる。
【００４２】
また、中速の通常モードでは、合成画像に占める２ページ目の表示領域の時間的な増加を、図８にグラフｂとして示すように設定する（なお、同図のグラフａは図７と同じ低速の通常モードを示している）。
【００４３】
この中速の通常モードに従うことにより、２ページ目の表示領域は、ｔ２時点まで急激に加速して増加し（ｔ１：８．３％、ｔ２：２８．２％）、ｔ２時点の合成画像に占める２ページ目の表示領域が、３６．５％に達する。２ページ目の表示領域の増え方は、この急激な加速の後に減速し、ｔ３からｔ５までは、合成画像の更新ごとに１９．３％ずつ増え、ｔ５時点の合成画像に占める２ページ目の表示領域は、累積で９４．４％に達する。ページ切換え後半の減速過程では、ｔ６時点で４．１％、ｔ７時点で１．４％の増加となり、ｔ８時点において、２ページ目の表示領域が累積で１００％に達する。ｔ８は、ページ切換え開始時（０）からの経過時間が８００ｍｓの時点である。
【００４４】
この中速の通常モードの場合も、ページ切換え前半で、所定レベル以上に加速した後、所定レベルまで減速して、加速感を強調している。そのため、手めくりの感じを出すことができる。
【００４５】
また、ページ切換えの後半で、ページ切換えの最終局面に近付く程、減速の加速度を落としており、そのため、２ページ目への切換えに余韻を持たせることができる。
【００４６】
また、高速の通常モードでは、合成画像に占める２ページ目の表示領域の時間的な増加を、図８にグラフｃとして示すように設定する。
【００４７】
この高速の通常モードに従うことにより、ｔ１時点の合成画像に占める２ページ目の表示領域は、５５．２％に達する。その後、２ページ目の表示領域の増え方は減速し、ｔ２時点で３７．３％、ｔ３時点で５．５％、ｔ４時点で１．９％の増加となり、ｔ５時点において、２ページ目の表示領域が累積で１００％に達する。ｔ５は、ページ切換え開始時（０）からの経過時間が５００ｍｓの時点である。
【００４８】
この高速の通常モードの場合も、ページ切換え前半のｔ１時点で大きく加速した後、ｔ２時点で減速し、加速感を強調している。また、ｔ２からｔ５の期間では、ページ切換えの最終局面に近付く程、減速の加速度を落とすことで、２ページ目への切換えに余韻を持たせている。
【００４９】
なお、制御部１６は、２ページ目を表示部１２に表示した場合に、その次のページを記憶部１７から読み出し、表示中のページとその前後のページとを一時記憶部１８に格納する。
【００５０】
そして、再び、図４（ｃ）に示すように、タッチセンサ１５の１５ａに続いて１５ｂから入力があると、制御部１６は、前述した手順で、通常モードによる次ページへのページ切換えを実行する。また、タッチセンサ１５の１５ｂに続いて１５ａから入力があると、制御部１６は、同様の手順で、通常モードによる前ページへのページ切換えを実行する。
【００５１】
また、制御部１６は、タッチセンサ１５の１５ａに続いて１５ｂから入力があり、その後、引き続いて１５ｂからの入力が継続する場合に、その継続時間を時計（不図示）で計測する。そして、その計測時間が予め設定された時間ｍ１を超えたとき、ページ切換えを連続的に行う“中速モード”を実行する。この中速モードでは、合成画像に占める２ページ目の表示領域の時間的な増加を、図９に示すように設定する。
【００５２】
この図９では、０からｔ３に掛けて最初のページ切換えが行われ、ｔ３からｔ６に掛けて次のページ切換えが行われ、ｔ６からｔ９に掛けて次のページ切換えが行われ、ｔ９からｔ１２に掛けて次のページ切換えが行われる。各ページ切換えにおいて、合成画像に占める次ページの表示領域が時間的に増加するパターンは皆同じであり、最初のページ切換えの場合で言えば、ｔ１時点で８９％、ｔ２時点で１１％の増加となり、ｔ３時点において、次ページの表示領域が累積で１００％に達する。ｔ３は、ページ切換え開始時（０）からの経過時間が３００ｍｓの時点である。
【００５３】
この中速モードの場合も、ページ切換えの最初（ｔ１）で大きく加速した後、ｔ２時点で減速し、加速感を強調している。また、減速過程では、ページ切換えの最終局面に近付く程、減速の加速度を落とすことで、次ページへの切換えに余韻を持たせている。
【００５４】
また、制御部１６は、表示部１２に表示する次のページ切換えに間に合うように、次のページを記憶部１７から順次読み出して一時記憶部１８に格納する。
【００５５】
また、制御部１６は、中速モードを開始してからの時間を時計（不図示）で計測し、計測時間が時間ｍ２（ｍ２＞ｍ１）に達する前にタッチセンサ１５ｂからの入力が停止した場合は、実施途中のページ切換えが完了した時点で、以後のページへのページ切換えを中止する。また、タッチセンサ１５ｂからの入力が停止しないまま計測時間が時間ｍ２に達した場合は、ｋページ後のページへのページ切換えを行う “高速モード”を実行する。
【００５６】
この高速モードでは、ｎページに続いて、（ｎ＋ｋ）ページ、（ｎ＋２ｋ）ページ、（ｎ＋３ｋ）ページ、（ｎ＋４ｋ）ページと言うようにページ切換えを行うが、中速モードとの違いを表すために、切換えるページ間に距離（余白）を設けている。
【００５７】
この場合の合成画像に占める次ページの表示領域の時間的な増加は、図１０に示すように設定する。ここでは、０からｔ３に掛けて（ｎ＋ｋ）ページへのページ切換えが行われ、ｔ３からｔ６に掛けて（ｎ＋２ｋ）ページへのページ切換えが行われ、ｔ６からｔ９に掛けて（ｎ＋３ｋ）ページへのページ切換えが行われ、ｔ９からｔ１２に掛けて（ｎ＋４ｋ）ページへのページ切換えが行われる。ただし、このページ切換えでは、余白を含むページ間の切換えが行われるが、図１０の縦軸は、ページだけに着目した％の値を示しているため、累積が１００％を超えている。
【００５８】
この高速モードの場合も、ページ切換えの最初（ｔ１）で大きく加速した後、ｔ２時点で減速し、加速感を強調している。また、減速過程では、ページ切換えの最終局面に近付く程、減速の加速度を落とすことで、次ページへの切換えに余韻を持たせている。
【００５９】
また、制御部１６は、表示部１２に表示する次のページ切換えに間に合うように、該当するページを記憶部１７から順次読み出して一時記憶部１８に格納する。
【００６０】
また、制御部１６は、タッチセンサ１５ｂからの入力が停止した場合は、実施途中のページ切換えが完了した時点で、以後のページへのページ切換えを中止する。
【００６１】
なお、ここでは、順方向の中速モード及び高速モードの処理について説明したが、逆方向の場合も同様である。
【００６２】
以上の操作制御を、図１１を用いて総括的に説明する。図１１は、図７に示した通常モードにおける各段階での画像の変化を説明したものである。
【００６３】
（Ａ）は、時間ｔ１〜ｔ３での画像の変化を示している。この段階では、一度移動が加速してから、減速することにより、一層加速感を強調している。（Ａ）の後の（Ｂ）は、時間ｔ３〜ｔ７での画像の変化を示している。この段階では画像が等速で動くことにより、動きにスムーズ感を与えることができる。
【００６４】
次に（Ｃ）は、時間ｔ７〜ｔ９での画像の変化を示している。この段階では、徐々に移動が減速してページ移動速度を落としていく。（Ｃ）の後の（Ｄ）は、時間ｔ９〜ｔ１１での画像の変化を示している。この段階では、その前の（Ｄ）よりも減速の加速度を落とすことにより、ページ移動が止まる時の余韻を出すことができる。
【００６５】
この例では現ページ１の表示位置を徐々に枠で囲まれた表示部の表示領域外へ移動させ、次ページ２の表示位置を徐々に枠内表示部の表示領域内に移動させることにより、合成画像を順次生成している。また、（Ｃ）及び（Ｄ）のように、現ページ１及び次ページ２の移動速度が、少なくともページ切換えの後半で、少なくとも２段階の減速の加速度で変化するように設定されている。この制御は、図８のｂ、ｃで示された他の通常モードにおいてのみならず、図９の中速モード、図１０の高速モードにおいても共通である。
【００６６】
また、この２段階の減速の加速度は、（Ｃ）及び（Ｄ）のようにページ切換えの最終局面で設定されることが望ましい。また、（Ｄ）のように最終局面に近い段階の減速の加速度が、（Ｄ）より最終局面から遠い段階の（Ｃ）減速の加速度より小さくなるように設定されることで、停止時の余韻が強調される。この制御も図８のｂ、ｃで示された他の通常モードにおいてのみならず、図９の中速モード、図１０の高速モードにおいて共通である。
【００６７】
また、段階（Ａ）のように、現ページ１および次ページ２の移動速度が、ページ切換えの前半で、加速した後に減速するように設定することが望ましい。さらに段階（Ｂ）のように、現ページ１及び次ページ１の移動速度が、ページ切換えの前半での減速の後、ページ切換えの後半での（Ｃ）の減速に到るまで等速を維持するように設定することが望ましい。これらの制御は、図８のｂで示された他の通常モードにおいても同様である。
【００６８】
このように、この電子表示装置では、ページ切換えにおける次ページの現われ方にメリハリを持たせているため、機械的なページ切換えの印象を薄めて、手めくりの感じを出すことができる。特に、ページ切換えの後半において、次ページの表示領域の増え方を減速する際に、ページ切換えの最終局面に近付く程、その減速の加速度を下げているため、唐突な感じを抱かせずに、次ページへソフトランディングすることができ、次ページへの切換えに余韻を持たせることができる。
【００６９】
この減速の過程は、少なくとも、その減速の加速度をａ１、ａ２（＜ａ１）の２段階に設定し、ページ切換えの最終局面に近い方の加速度をａ２に、ページ切換えの最終局面から遠い方の加速度をａ１に設定することで、その効果が得られる。
【００７０】
なお、ここで説明した操作部の構成や操作手順、あるいは、通常モード、中速モード及び高速モード等のモード設定、各モードでの次ページ画像の増加特性の設定は、いずれも一例であって、本発明は、それらに限定されない。操作部を十字キーや、縦、横方向に分割された複数のキー等により構成することも可能である。
【００７１】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００７２】
本発明の電子表示装置は、ユーザに対し、本をめくっているような“ページ切換え（ページめくり）”を実感させることが可能であり、小説、画集、写真集などの電子書籍を閲覧する読書端末や、撮影した写真等を順次表示する画像ビュアー等の各種電子表示装置に対して、広く適用することができる。
【図面の簡単な説明】
【００７３】
【図１】本発明の実施形態における電子表示装置の斜視図
【図２】本発明の実施形態における電子表示装置の右手または左手での操作を説明する図
【図３】本発明の実施形態における電子表示装置のＥ字形操作部の構成を示す図
【図４】本発明の実施形態における電子表示装置のＥ字形操作部の操作を説明する図（右手持ちの場合）
【図５】本発明の実施形態における電子表示装置のＥ字形操作部の操作を説明する図（左手持ちの場合）
【図６】本発明の実施形態における電子表示装置の構成を示すブロック図
【図７】本発明の実施形態における電子表示装置のページ切換え（低速度・通常モード）で設定された次ページの増加特性を示す図
【図８】本発明の実施形態における電子表示装置のページ切換えで設定された次ページの増加特性を示す図（ａ：低速度・通常モード、ｂ：中速度・通常モード、ｃ：高速度・通常モード）
【図９】本発明の実施形態における電子表示装置のページ切換え（中速モード）で設定された次ページの増加特性を示す図
【図１０】本発明の実施形態における電子表示装置のページ切換え（高速モード）で設定された次ページの増加特性を示す図
【図１１】ページ切換えの説明図
【図１２】従来の電子表示装置のページ切換え操作を示す図
【符号の説明】
【００７４】
１０  電子表示装置
１１  矩形部
１２  表示部
１３  把持部
１４  操作部
１５  タッチセンサ
１５ａ〜１５ｈ  タッチセンサ
１６  制御部
１７  記憶部
１８  一時記憶部
４１  右手
４２  左手
【図１】
2007041724.tif 000003
【図２】
2007041724.tif 000004
【図３】
2007041724.tif 000005
【図４】
2007041724.tif 000006
【図５】
2007041724.tif 000007
【図６】
2007041724.tif 000008
【図７】
2007041724.tif 000009
【図８】
2007041724.tif 000010
【図９】
2007041724.tif 000011
【図１０】
2007041724.tif 000012
【図１１】
2007041724.tif 000013
【図１２】
2007041724.tif 000014